(57)【要約】【課題】均一な構造を有するトリカルボキシセルロース、及び前記トリカルボキシセルロースを簡便かつ安全に製造することができる製造方法の提供。【解決手段】Ｎ−オキシル化合物、及び共酸化剤を含む反応液中でセルロース系原料を酸化する酸化工程を含み、前記セルロース系原料が、再生セルロースであり、前記共酸化剤を、前記セルロース系原料１ｇに対して、３０ｍｍｏｌ以上用いるトリカルボキシセルロースの製造方法、構造式（１）で表される繰返し単位における官能基Ｘ１、Ｘ２、及びＸ３の９０％以上がカルボキシル基若しくはその塩であるトリカルボキシセルロースなどである。【選択図】なし【特許請求の範囲】
【請求項１】
Ｎ−オキシル化合物、及び共酸化剤を含む反応液中でセルロース系原料を酸化する酸化工程を含み、
前記セルロース系原料が、再生セルロースであり、
前記共酸化剤を、前記セルロース系原料１ｇに対して、３０ｍｍｏｌ以上用いることを特徴とするトリカルボキシセルロースの製造方法。
【請求項２】
酸化工程を、１０時間以上行う請求項１に記載のトリカルボキシセルロースの製造方法。
【請求項３】
Ｎ−オキシル化合物が、２−アザアダマンタン−Ｎ−オキシルである請求項１から２のいずれかに記載のトリカルボキシセルロースの製造方法。
【請求項４】
共酸化剤が、次亜塩素酸ナトリウムである請求項１から３のいずれかに記載のトリカルボキシセルロースの製造方法。
【請求項５】
請求項１から４のいずれかに記載の製造方法により製造されたことを特徴とするトリカルボキシセルロース。
【請求項６】
下記構造式（１）で表される繰返し単位における官能基Ｘ１、Ｘ２、及びＸ３の９０％以上がカルボキシル基若しくはその塩であることを特徴とするトリカルボキシセルロース。
【化１】
2015113453.tif 000007
【発明の詳細な説明】
【技術分野】
【０００１】
本発明は、トリカルボキシセルロース及びその製造方法に関する。
【背景技術】
【０００２】
トリカルボキシセルロースは、ピラノース環のＣ６位がカルボキシル基若しくはその塩であり、また、ピラノース環のＣ２位とＣ３位との間の結合が開裂し、それぞれがカルボキシル基若しくはその塩である水溶性化合物であり、例えば、ナトリウム塩であるトリカルボキシセルロースは、下記式（１）で表される。前記トリカルボキシセルロースは、酒石酸の原料、金属イオンの担体、止血剤、洗剤ビルダー、サイズ剤、コンクリート混和材などの様々な用途に用いられる。
【化１】
2015113453.tif 000002
【０００３】
前記トリカルボキシセルロースの製造方法としては、過ヨウ素酸ナトリウムによる酸化と、Ｎ２Ｏ４ガスによる酸化とを行う、二段階の酸化反応により製造する方法が提案されている（例えば、非特許文献１参照）。
しかしながら、前記提案の方法で用いる過ヨウ素酸ナトリウムは、高価であり、また、爆発性があるという問題があり、Ｎ２Ｏ４ガスは、有毒であるという問題がある。また、前記提案の方法は、多段階の反応であり、煩雑であるという問題もある。更に、前記提案の方法で得られるトリカルボキシセルロースは、そもそも、Ｃ２位、Ｃ３位、及びＣ６位が、カルボキシル基若しくはその塩となっていない割合が高く、トリカルボキシセルロースの構造が不均一であるという問題もある。
【０００４】
したがって、均一な構造を有するトリカルボキシセルロース、及び前記トリカルボキシセルロースを簡便かつ安全に製造することができる製造方法の速やかな開発が強く求められているのが現状である。
【先行技術文献】
【非特許文献】
【０００５】
【非特許文献１】Ｓｉｎｈａ，  Ｔ．  Ｊ．  Ｍ．，  Ｖａｓｕｄｅｖａｎ，  Ｐ．  （１９８４）．  Ｂｌｏｏｄ−ｃｅｌｌｕｌｏｓｉｃｓ  ｉｎｔｅｒａｃｔｉｏｎｓ．  Ｂｉｏｍａｔｅｒｉａｌｓ，  ｍｅｄｉｃａｌ  ｄｅｖｉｃｅｓ，  ａｎｄ  ａｒｔｉｆｉｃｉａｌ  ｏｒｇａｎｓ，  １２（３−４），  ２７３−２８７．
【発明の概要】
【発明が解決しようとする課題】
【０００６】
本発明は、従来における前記諸問題を解決し、以下の目的を達成することを課題とする。即ち、本発明は、均一な構造を有するトリカルボキシセルロース、及び前記トリカルボキシセルロースを簡便かつ安全に製造することができる製造方法を提供することを目的とする。
【課題を解決するための手段】
【０００７】
前記課題を解決するための手段としては、以下の通りである。即ち、
＜１＞  Ｎ−オキシル化合物、及び共酸化剤を含む反応液中でセルロース系原料を酸化する酸化工程を含み、
前記セルロース系原料が、再生セルロースであり、
前記共酸化剤を、前記セルロース系原料１ｇに対して、３０ｍｍｏｌ以上用いることを特徴とするトリカルボキシセルロースの製造方法である。
＜２＞  前記＜１＞に記載の製造方法により製造されたことを特徴とするトリカルボキシセルロースである。
＜３＞  下記構造式（１）で表される繰返し単位における官能基Ｘ１、Ｘ２、及びＸ３の９０％以上がカルボキシル基若しくはその塩であることを特徴とするトリカルボキシセルロースである。
【化２】
2015113453.tif 000003
【発明の効果】
【０００８】
本発明によれば、従来における前記諸問題を解決し、前記目的を達成することができ、均一な構造を有するトリカルボキシセルロース、及び前記トリカルボキシセルロースを簡便かつ安全に製造することができる製造方法を提供することができる。
【図面の簡単な説明】
【０００９】
【図１Ａ】図１Ａは、実施例１における１３Ｃ−核磁気共鳴スペクトル（以下、「ＮＭＲスペクトル」と称することがある）の測定結果を示す図である。
【図１Ｂ】図１Ｂは、実施例１における１Ｈ−ＮＭＲスペクトルの測定結果を示す図である。
【図２】図２は、実施例１におけるＦＴ−ＩＲの測定結果を示す図である。
【図３】図３は、実施例１におけるＳＥＣ−ＭＡＬＬＳの測定結果を示す図である。
【図４】図４は、比較例１における１３Ｃ−ＮＭＲスペクトルの測定結果を示す図である。
【図５】図５は、比較例２における１３Ｃ−ＮＭＲスペクトルの測定結果を示す図である。
【発明を実施するための形態】
【００１０】
（トリカルボキシセルロース及びその製造方法）
本発明のトリカルボキシセルロースは、本発明のトリカルボキシセルロースの製造方法により好適に製造することができる。以下、本発明のトリカルボキシセルロースの製造方法の説明と併せて、本発明のトリカルボキシセルロースを説明する。
【００１１】
＜トリカルボキシセルロースの製造方法＞
本発明のトリカルボキシセルロースの製造方法は、酸化工程を少なくとも含み、必要に応じて更にその他の工程を含む。
【００１２】
＜＜酸化工程＞＞
前記酸化工程は、Ｎ−オキシル化合物、及び共酸化剤を含む反応液中でセルロース系原料を酸化する工程である。
前記酸化工程により、セルロース中のＣ２位とＣ３位との間の結合が切断され、かつ、Ｃ２位、Ｃ３位、及びＣ６位が、カルボキシル基若しくはその塩となる。
【００１３】
−セルロース系原料−
前記セルロース系原料は、再生セルロースであれば、特に制限はなく、目的に応じて適宜選択することができる。前記再生セルロースは、より均一な構造のトリカルボキシセルロースが得られる点で好ましい。
前記再生セルロースとしては、特に制限はなく、目的に応じて適宜選択することができ、例えば、銅アンモニアレーヨン、ビスコースレーヨンなどが挙げられる。前記再生セルロースは、１種単独で使用してもよいし、２種以上を併用してもよい。
前記再生セルロースは、公知の方法により製造したものを使用してもよいし、市販品を使用してもよい。前記再生セルロースの市販品としては、例えば、ベンリーゼ（登録商標）（旭化成せんい株式会社製）などが挙げられる。
【００１４】
前記反応液における前記セルロース系原料の分散媒としては、特に制限はなく、目的に応じて適宜選択することができ、例えば、水などが挙げられる。
前記反応液中における前記セルロース系原料の濃度としては、特に制限はなく、目的に応じて適宜選択することができる。
【００１５】
−Ｎ−オキシル化合物−
前記Ｎ−オキシル化合物としては、特に制限はなく、目的に応じて適宜選択することができ、例えば、「「Ｃｅｌｌｕｌｏｓｅ」Ｖｏｌ．１０、２００３年、第３３５ページから３４１ページにおけるＩ．  Ｓｈｉｂａｔａ及びＡ．  Ｉｓｏｇａｉによる「ＴＥＭＰＯ誘導体を用いたセルロースの触媒酸化：酸化生成物のＨＰＳＥＣ及びＮＭＲ分析」と題する記事」に記載されている化合物などが挙げられる。これらは、１種単独で使用してもよいし、２種以上を併用してもよい。
前記Ｎ−オキシル化合物の中でも、２−アザアダマンタン−Ｎ−オキシル（２−Ａｚａａｄａｍａｎｔａｎｅ−Ｎ−ｏｘｙｌ；以下、「ＡＺＡＤＯ」と称することがある）、１−メチル−２−アザアダマンタン−Ｎ−オキシル（１−ｍｅｔｈｙｌ−２−Ａｚａａｄａｍａｎｔａｎｅ−Ｎ−ｏｘｙｌ；以下、「１−Ｍｅ−ＡＺＡＤＯ」と称することがある）、９−アザビシクロ［３．３．１］ノナン  Ｎ−オキシル（９−ａｚａｂｉｃｙｃｌｏ［３．３．１］ｎｏｎａｎｅ  Ｎ−ｏｘｙｌ；以下、「ＡＢＮＯ」と称することがある）、ｎｏｒ−ＡＺＡＤＯ（和光純薬工業株式会社製）、ＡＺＡＤＯＬ（登録商標、和光純薬工業株式会社製）が好ましく、ＡＺＡＤＯがより好ましい。前記ＡＺＡＤＯは、少量で、かつ室温で酸化工程に用いることができる点で、有利である。
【００１６】
前記Ｎ−オキシル化合物は、市販品を使用してもよいし、化学合成したものを使用してもよいし、公知のＮ−オキシル化合物の回収法により調製したものを使用してもよい。前記回収法により調製したものを用いると、トリカルボキシセルロースを安価に調製し得る点で、好ましい。
前記Ｎ−オキシル化合物の回収法としては、特に制限はなく、目的に応じて適宜選択することができ、例えば、超臨界二酸化炭素流体を用いる方法（例えば、特開２０１０−２３５４５４号公報）などが挙げられる。
【００１７】
前記反応液における前記Ｎ−オキシル化合物の含有量としては、特に制限はなく、目的に応じて適宜選択することができ、例えば、触媒量などが挙げられる。
【００１８】
−共酸化剤−
前記共酸化剤としては、特に制限はなく、目的に応じて適宜選択することができ、例えば、次亜ハロゲン酸又はその塩、亜ハロゲン酸又はその塩、過ハロゲン酸又はその塩、過酸化水素、過有機酸など挙げられる。これらは、１種単独で使用してもよいし、２種以上を併用してもよい。
前記共酸化剤の中でも、次亜塩素酸ナトリウムが好ましい。
前記共酸化剤は、市販品を使用してもよいし、化学合成したものを使用してもよい。
【００１９】
前記共酸化剤の使用量としては、前記セルロース系原料１ｇに対して、３０ｍｍｏｌ以上であれば、特に制限はなく、目的に応じて適宜選択することができるが、前記セルロース系原料１ｇに対して、３５ｍｍｏｌ以上が好ましく、４０ｍｍｏｌ以上がより好ましい。前記共酸化剤の使用量が、３０ｍｍｏｌ未満であると、トリカルボキシセルロースの化学構造の均一性が劣ることがある。一方、前記好ましい範囲であると、化学構造の均一性に優れたトリカルボキシセルロースを得ることができる点で、有利である。
【００２０】
−その他の成分−
前記反応液は、上述したセルロース系原料、Ｎ−オキシル化合物、及び共酸化剤以外のその他の成分を含んでいてもよい。
前記その他の成分としては、特に制限はなく、目的に応じて適宜選択することができるが、臭化物、ヨウ化物、又はこれらの混合物が好ましい。
【００２１】
−−臭化物、ヨウ化物、又はこれらの混合物−−
前記臭化物、及びヨウ化物としては、特に制限はなく、目的に応じて適宜選択することができ、例えば、臭化アルカリ金属、ヨウ化アルカリ金属などが挙げられる。これらは、１種単独で使用してもよいし、２種以上を併用してもよい。
前記臭化物、ヨウ化物、又はこれらの混合物の中でも、臭化ナトリウムが好ましい。
前記反応液における前記臭化物、ヨウ化物、又はこれらの混合物の含有量としては、特に制限はなく、目的に応じて適宜選択することができる。
【００２２】
前記酸化工程の時間としては、特に制限はなく、目的に応じて適宜選択することができるが、１０時間以上が好ましく、１５時間以上がより好ましく、１８時間以上が特に好ましい。前記酸化工程の時間が１０時間未満であると、トリカルボキシセルロースの化学構造の均一性が劣ることがある。一方、前記好ましい範囲であると、化学構造の均一性に優れたトリカルボキシセルロースを得ることができる点で、有利である。
【００２３】
前記酸化工程における反応液のｐＨとしては、特に制限はなく、目的に応じて適宜選択することができるが、７〜１１が好ましく、９〜１０がより好ましく、１０が特に好ましい。
【００２４】
前記酸化工程における、温度、圧力などの条件としては、特に制限はなく、目的に応じて適宜選択することができる。
【００２５】
前記酸化工程としては、前記反応液のｐＨを１０に保ち、２０℃〜２５℃で撹拌しながら６時間反応させ、次いで、ｐＨ調整を行わず、２０℃〜２５℃で撹拌しながら１２時間反応させる態様が好ましい。
【００２６】
前記酸化工程は、精製処理、塩の調製処理、乾燥処理を含んでもよい。
前記精製処理の方法としては、特に制限はなく、公知の方法を適宜選択することができ、例えば、透析などが挙げられる。
【００２７】
前記塩の調製処理は、トリカルボキシセルロースのＣ２位、Ｃ３位、及びＣ６位のカルボキシル基をその塩とする処理である。
前記塩の調製処理の方法としては、特に制限はなく、目的に応じて適宜選択することができ、例えば、前記反応後の溶液のｐＨを水酸化ナトリウム水溶液で７．８に調整し、Ｃ２位、Ｃ３位、及びＣ６位のカルボキシル基をナトリウム塩とする方法などが挙げられる。
【００２８】
前記乾燥処理の方法としては、特に制限はなく、目的に応じて適宜選択することができ、例えば、前記反応後の溶液から溶媒を揮発させた後、凍結乾燥する方法などが挙げられる。
【００２９】
＜＜その他の工程＞＞
前記その他の工程としては、本発明の効果を損なわない限り、特に制限はなく、目的に応じて適宜選択することができる。
【００３０】
前記トリカルボキシセルロースの製造方法により、ピラノース環のＣ２位、Ｃ３位、及びＣ６位がカルボキシル基若しくはその塩である割合が高く、均一な構造を有するトリカルボキシセルロースを安全な水系で、かつ１工程で調製することができる。
【００３１】
＜トリカルボキシセルロース＞
本発明のトリカルボキシセルロースは、下記構造式（１）で表される繰返し単位における官能基Ｘ１、Ｘ２、及びＸ３の９０％以上がカルボキシル基若しくはその塩である。
前記構造式（１）で表される繰返し単位における官能基Ｘ１、Ｘ２、及びＸ３は、それぞれ、セルロースにおけるＣ６位、Ｃ２位、Ｃ３位に相当する。
【化３】
2015113453.tif 000004
【００３２】
前記トリカルボキシセルロースの構造を確認する方法としては、特に制限はなく、公知の方法を適宜選択することができ、例えば、カルボキシル基量を測定する方法、定量ＮＭＲスペクトルを測定する方法、ＦＴ−ＩＲスペクトルを測定する方法、分子量を測定する方法などが挙げられる。これらは、１種単独で使用してもよいし、２種以上を併用してもよい。
【００３３】
前記カルボキシル基量を測定する方法としては、特に制限はなく、目的に応じて適宜選択することができ、例えば、電導度滴定により測定する方法などが挙げられる。
【００３４】
前記分子量を測定する方法としては、特に制限はなく、目的に応じて適宜選択することができ、例えば、ＳＥＣ（ｓｉｚｅ−ｅｘｃｌｕｓｉｏｎ  ｃｈｒｏｍａｔｏｇｒａｐｈｙ）−ＭＡＬＬＳ(ｍｕｌｔｉ−ａｎｇｌｅ  ｌｉｇｈｔ  ｓｃａｔｔｅｒｉｎｇ)により測定する方法が挙げられる。
前記トリカルボキシセルロースの数平均分子量（Ｍｎ）、重量平均分子量（Ｍｗ）、多分散度（Ｍｗ／Ｍｎ）としては、特に制限はなく、目的に応じて適宜選択することができる。
【００３５】
前記構造式（１）で表される繰返し単位における官能基Ｘ１、Ｘ２、及びＸ３の９０％以上がカルボキシル基若しくはその塩であるか否かは、定量１３Ｃ−ＮＭＲスペクトルのチャートから算出することができる。例えば、後述する実施例１の１３Ｃ−ＮＭＲスペクトルのようなスペクトルが得られた場合には、前記構造式（１）で表される繰返し単位における官能基Ｘ１、Ｘ２、及びＸ３の９５％以上がカルボキシル基若しくはその塩であると確認することができる。
【００３６】
前記トリカルボキシセルロースの用途としては、特に制限はなく、目的に応じて適宜選択することができ、例えば、酒石酸の原料、金属イオンの担体、止血剤、洗剤ビルダー、サイズ剤、コンクリート混和材、抗菌材などが挙げられる。
【実施例】
【００３７】
以下に実施例及び比較例を挙げて本発明を具体的に説明するが、本発明は以下の実施例に何ら限定されるものではない。
【００３８】
（実施例１）
＜酸化工程＞
再生セルロースであるベンリーゼ（登録商標）（旭化成せんい株式会社製）  １ｇと、１５．３ｍｇのＡＺＡＤＯ（和光純薬工業株式会社製）と、０．１ｇの臭化ナトリウムとを蒸留水１００ｍＬに分散させた後、１３．８質量％次亜塩素酸ナトリウム水溶液を、１ｇのベンリーゼ（登録商標）に対して次亜塩素酸ナトリウムの量が４０ｍｍｏｌとなるように加えて反応を開始した。前記反応中は、０．５Ｍの水酸化ナトリウム水溶液を滴下してｐＨを１０に保ち、室温（２０℃〜２５℃）で撹拌しながら反応を６時間行った。次いで、ｐＨ調整を行わず、室温（２０℃〜２５℃）で撹拌しながら反応を一晩（１２時間）行った。反応後の溶液にチオ硫酸ナトリウムを加えて反応を停止した。
【００３９】
−透析−
前記反応物を、以下のようにして透析した。
反応停止後の溶液を、事前に脱イオン水でよく洗浄したセルロースチューブ（エーディア株式会社製）に注ぎ、脱イオン水中で５日間透析を行った。
【００４０】
−ナトリウム塩の調製−
前記透析後の溶液のｐＨを水酸化ナトリウム水溶液で７．８に調整し、Ｃ２位、Ｃ３位、及びＣ６位のカルボキシル基をナトリウム塩としたトリカルボキシセルロースを調製した。
【００４１】
−乾燥−
前記ナトリウム塩調製工程後の溶液からエバポレーターで溶媒を揮発させた後、凍結乾燥し、Ｎａ型トリカルボキシセルロース−１を得た（収率：８２％）。
【００４２】
＜解析＞
前記Ｎａ型トリカルボキシセルロース−１について、以下の解析を行った。
−カルボキシル基量−
前記Ｎａ型トリカルボキシセルロース−１の１ｇあたりのカルボキシル基量を、Ｔ．Ｓａｉｔｏ及びＡ．Ｉｓｏｇａｉ、「ＴＥＭＰＯ−ｍｅｄｉａｔｅｄ  ｏｘｉｄａｔｉｏｎ  ｏｆ  ｎａｔｉｖｅ  ｃｅｌｌｕｌｏｓｅ．  Ｔｈｅ  ｅｆｆｅｃｔ  ｏｆ  ｏｘｉｄａｔｉｏｎ  ｃｏｎｄｉｔｉｏｎｓ  ｏｎ  ｃｈｅｍｉｃａｌ  ａｎｄ  ｃｒｙｓｔａｌ  ｓｔｒｕｃｔｕｒｅｓ  ｏｆ  ｔｈｅ  ｗａｔｅｒ−ｉｎｓｏｌｕｂｌｅ  ｆｒａｃｔｉｏｎｓ」、Ｂｉｏｍａｃｒｏｍｏｌｅｃｕｌｅｓ、Ｖｏｌ．５、１９８３〜１９８９ページ、２００４年）に記載されている方法に従い、亜塩素酸ナトリウムによる追酸化処理と電導度滴定によって測定した。
測定の結果、前記Ｎａ型トリカルボキシセルロース−１の１ｇあたりのカルボキシル基量は、１０．４ｍｍｏｌ（１０．４ｍｍｏｌ／生成物１ｇ）であった。なお、トリカルボキシセルロース  １ｇあたりのカルボキシル基量の理論値は、１１．０ｍｍｏｌである。
【００４３】
−定量ＮＭＲスペクトル−
前記Ｎａ型トリカルボキシセルロース−１について、重水中で測定した、５００ＭＨｚにおける１３Ｃ−ＮＭＲスペクトル（日本電子株式会社製のＡＬＰＨＡ−５００で測定）のチャートを図１Ａに、５００ＭＨｚにおける１Ｈ−ＮＭＲスペクトル（日本電子株式会社製のＡＬＰＨＡ−５００で測定）のチャートを図１Ｂに示す。
前記図１Ａ及び図１Ｂ中、Ｉは積分値を示す。また、図１Ａ及び図１Ｂ中のＣ１からＣ６は、下記式（２）で示された位置の炭素を示す。
【化４】
2015113453.tif 000005
【００４４】
図１Ａの結果から、３つのカルボキシル基（Ｃ２位、Ｃ３位、及びＣ６位）に由来するピーク強度は、Ｃ３位及びＣ６位が２．０６であり、Ｃ２位が１．０４であった。上述した構造式（１）で表される繰返し単位における官能基Ｘ１、Ｘ２、及びＸ３の９５％以上がカルボキシル基若しくはその塩であることが確認された。
【００４５】
−ＦＴ−ＩＲスペクトル−
前記Ｎａ型トリカルボキシセルロース−１のＦＴ−ＩＲスペクトルを測定した（日本分光株式会社製のＦＴ／ＩＲ−６１００で測定）結果を図２に示す。
【００４６】
図２中、「Ｃ−Ｈ」、及び「ＣＯＯ−」は、それぞれ、Ｃ−Ｈ結合由来のピーク、カルボキシル基由来のピークを示す。また、実線は、前記Ｎａ型トリカルボキシセルロース−１の測定結果を示し、点線は、原料に用いたベンリーゼ（登録商標）の測定結果を示す。
図２の結果から、前記Ｎａ型トリカルボキシセルロース−１では、出発物質のセルロース系原料と比較して、Ｃ−Ｈ結合由来のピークが減少しており、また、カルボキシル基由来のピークが増加していることが確認できた。
【００４７】
−分子量及び分子量分布−
多角度静的光散乱システム（Ｗｙａｔｔ  ｔｅｃｈｎｏｌｏｇｙ社製のＤＯＷＮ−ＥＯＳ）、オートインジェクタ（島津製作所社製のＳＩＬ−２０Ａ）、高速液体クロマトグラフ（島津製作所社製のＬＣ−２０ＡＤ）、脱気装置（島津製作所社製のＤＧＵ−１２Ａ）、示差屈折率検出器（島津製作所社製のＲＩＤ−１０Ａ）、キャリア溶媒回収装置（ＧＬ  Ｓｃｉｅｎｃｅｓ社製のＳＲ６７１）、カラムオーブン（島津製作所社製のＣＴＯ−１０Ａ）を組み合わせたＳＥＣ−ＭＡＬＬＳシステムにより、前記Ｎａ型トリカルボキシセルロース−１の分子量及び分子量分布を調べた。なおカラムはＳｈｏｄｅｘ社製のＳＢ−８０６Ｍ−ＨＱを用いた。結果を図３に示す。
前記測定の結果、前記Ｎａ型トリカルボキシセルロース−１の数平均分子量（Ｍｎ）は６，９４８であり、重量平均分子量（Ｍｗ）は１０，６５０であり、多分散度（Ｍｗ／Ｍｎ）は１．５３であった。
【００４８】
上記各解析の結果から、前記実施例１で得られたＮａ型トリカルボキシセルロース−１は、上述した構造式（１）で表される繰返し単位における官能基Ｘ１、Ｘ２、及びＸ３の９５％以上がカルボキシル基若しくはその塩となっており、均一な構造を有していることが確認された。したがって、本発明の方法により、均一な構造を有するトリカルボキシセルロースを、安全な水系で、かつ１工程（酸化工程）で調製することができることが示された。
【００４９】
（比較例１）
前記実施例１において、再生セルロースであるベンリーゼ（登録商標）を１ｇ用いていた点を、再生セルロースではない針葉樹漂白クラフトパルプを乾燥質量で１ｇ相当分に変えた以外は、実施例１と同様にして、Ｎａ型トリカルボキシセルロース−２を得た。
【００５０】
＜解析＞
前記Ｎａ型トリカルボキシセルロース−２について、前記実施例１と同様にして解析を行った。
−カルボキシル基量−
前記Ｎａ型トリカルボキシセルロース−２の１ｇあたりのカルボキシル基量は、９．７ｍｍｏｌであった。なお、トリカルボキシセルロース  １ｇあたりのカルボキシル基量の理論値は、１１．０ｍｍｏｌである。
【００５１】
−定量ＮＭＲスペクトル−
前記Ｎａ型トリカルボキシセルロース−２について測定した１３Ｃ−ＮＭＲスペクトルのチャートを図４に示す。
図４では、前記実施例１の図１Ａと比較すると明らかなように、鮮明なチャートが得られず、ピーク強度を求めることができなかった。なお、図４からは、前記構造式（１）で表される繰返し単位における官能基Ｘ１、Ｘ２、及びＸ３の５０％程度がカルボキシル基若しくはその塩であることが推測された。
【００５２】
−ＦＴ−ＩＲスペクトル−
前記Ｎａ型トリカルボキシセルロース−２のＦＴ−ＩＲスペクトルを測定したところ、前記実施例１と同様の結果となった。
【００５３】
−分子量及び分子量分布−
ＳＥＣ−ＭＡＬＬＳにより、前記Ｎａ型トリカルボキシセルロース−２の分子量及び分子量分布を調べた。
その結果、前記Ｎａ型トリカルボキシセルロース−２の数平均分子量（Ｍｎ）は７，１６６であり、重量平均分子量（Ｍｗ）は１０，２５０であり、多分散度（Ｍｗ／Ｍｎ）は１．４３であった。
【００５４】
上記各解析の結果から、前記比較例１で得られたＮａ型トリカルボキシセルロース−２は、前記構造式（１）で表される繰返し単位における官能基Ｘ１、Ｘ２、及びＸ３の５０％程度がカルボキシル基若しくはその塩となっているにすぎず、均一な構造を有しているとはいえなかった。原料として再生セルロースではないパルプを用いた場合には、酸化工程における反応が十分に進行しなかったためと考えられた。
【００５５】
（比較例２）
前記実施例１において、次亜塩素酸ナトリウムを、１ｇのベンリーゼ（登録商標）に対して４０ｍｍｏｌ用いていた点を２５ｍｍｏｌに変え、反応時間が１８時間であった点を６５分間に変えた以外は、実施例１と同様にして、Ｎａ型トリカルボキシセルロース−３を得た。
【００５６】
＜解析＞
前記Ｎａ型トリカルボキシセルロース−３について、前記実施例１と同様にして解析を行った。
−カルボキシル基量−
前記Ｎａ型トリカルボキシセルロース−３の１ｇあたりのカルボキシル基量は、５．３９ｍｍｏｌであった。なお、トリカルボキシセルロース  １ｇあたりのカルボキシル基量の理論値は、１１．０ｍｍｏｌである。
【００５７】
−定量ＮＭＲスペクトル−
前記Ｎａ型トリカルボキシセルロース−３について測定した１３Ｃ−ＮＭＲスペクトルのチャートを図５に示す。
図５では、前記実施例１の図１Ａと比較しても明らかなように、夾雑物が多くピークを特定することができなかった。なお、図５からは、前記構造式（１）で表される繰返し単位における官能基Ｘ１、Ｘ２、及びＸ３の１０％程度がカルボキシル基若しくはその塩であることが推測された。
【００５８】
−ＦＴ−ＩＲスペクトル−
前記Ｎａ型トリカルボキシセルロース−３のＦＴ−ＩＲスペクトルを測定したところ、前記実施例１と同様の結果となった。
【００５９】
−分子量及び分子量分布−
ＳＥＣ−ＭＡＬＬＳにより、前記Ｎａ型トリカルボキシセルロース−３の分子量及び分子量分布を調べた。
その結果、前記Ｎａ型トリカルボキシセルロース−３の数平均分子量（Ｍｎ）は３，５２８であり、重量平均分子量（Ｍｗ）は４，０２７であり、多分散度（Ｍｗ／Ｍｎ）は１．１４であった。
【００６０】
上記各解析の結果から、前記比較例２で得られたＮａ型トリカルボキシセルロース−３は、前記構造式（１）で表される繰返し単位における官能基Ｘ１、Ｘ２、及びＸ３の１０％程度がカルボキシル基若しくはその塩となっているにすぎず、均一な構造を有しているとはいえなかった。また、図５において、副生成物を示唆するピークが多いことを考慮すると、次亜塩素酸ナトリウムの添加量を少なくすると、トリカルボキシセルロースの生成効率が低下することが考えられた。
【００６１】
本発明の態様としては、例えば、以下のものなどが挙げられる。
＜１＞  Ｎ−オキシル化合物、及び共酸化剤を含む反応液中でセルロース系原料を酸化する酸化工程を含み、
前記セルロース系原料が、再生セルロースであり、
前記共酸化剤を、前記セルロース系原料１ｇに対して、３０ｍｍｏｌ以上用いることを特徴とするトリカルボキシセルロースの製造方法である。
＜２＞  酸化工程を、１０時間以上行う前記＜１＞に記載のトリカルボキシセルロースの製造方法である。
＜３＞  Ｎ−オキシル化合物が、ＡＺＡＤＯである前記＜１＞から＜２＞のいずれかに記載のトリカルボキシセルロースの製造方法である。
＜４＞  共酸化剤が、次亜塩素酸ナトリウムである前記＜１＞から＜３＞のいずれかに記載のトリカルボキシセルロースの製造方法である。
＜５＞  反応液が、臭化物、ヨウ化物、又はこれらの混合物を含む前記＜１＞から＜４＞のいずれかに記載のトリカルボキシセルロースの製造方法である。
＜６＞  前記＜１＞から＜５＞のいずれかに記載の製造方法により製造されたことを特徴とするトリカルボキシセルロースである。
＜７＞  下記構造式（１）で表される繰返し単位における官能基Ｘ１、Ｘ２、及びＸ３の９０％以上がカルボキシル基若しくはその塩であることを特徴とするトリカルボキシセルロースである。
【化５】
2015113453.tif 000006
【図１Ａ】
2015113453.tif 000008
【図１Ｂ】
2015113453.tif 000009
【図２】
2015113453.tif 000010
【図３】
2015113453.tif 000011
【図４】
2015113453.tif 000012
【図５】
2015113453.tif 000013